(57)【要約】      （修正有）【課題】ダクト内において、地上に布設されるケーブルが一定以上の曲率で屈曲して取り付けられることを防止するエレファント型変圧器を提供する。【解決手段】変圧器本体２から引き出された第１口出線７Ｕ〜７Ｗ及び第２口出線９Ｕ〜９Ｗに接続される１次ブッシング６Ｕ及び２次ブッシング８Ｕが第１側板３Ｆ及び第１側板３Ｆとは反対側の第２側板３Ｇから突出するように配置される収容容器３と、地上に布設されて１次ブッシング６Ｕ及び第２ブッシング８Ｕに接続される第１ケーブル１１及び第２ケーブル１４、１５が取り入れられる第１取入口４Ｅ及び第２取入口５Ｆ〜５Ｈを第３側板４Ｇ及び第４側板５Ｊの下端部に有する。１次ブッシング６Ｕ及び第１ケーブル１１を収容して第１側板３Ｆに対向して配置される第１ダクト４と、２次ブッシング８Ｕ及び第２ケーブル１４、１５を収容して第２側板３Ｇに対向して配置される第２ダクト５と、を備える。【選択図】図３
2016207690.tif 000002
【特許請求の範囲】
【請求項１】
変圧器本体を収容し、前記変圧器本体から引き出された第１口出線と接続される１次ブッシングが第１側板から突出するように配置され、前記変圧器本体から引き出された第２口出線と接続される２次ブッシングが前記第１側板とは反対側の第２側板から突出するように配置される収容容器と、
地上に布設されて前記１次ブッシングと接続される第１ケーブルが取り入れられる第１取入口を第３側板の下端部に有し、前記１次ブッシング及び前記第１ケーブルを収容し、前記第１側板に対向して配置される第１ダクトと、
地上に布設されて前記第２ブッシングと接続される第２ケーブルが取り入れられる第２取入口を第４側板の下端部に有し、前記２次ブッシング及び前記第２ケーブルを収容し、前記第２側板に対向して配置される第２ダクトと、
を備えたことを特徴とするエレファント型変圧器。
【請求項２】
前記第１取入口は、前記第３側板の外側に突出して形成される
ことを特徴とする請求項１に記載のエレファント型変圧器。
【請求項３】
前記第２取入口は、前記第４側板の外側に突出するハウジングに形成される
ことを特徴とする請求項１に記載のエレファント型変圧器。
【請求項４】
前記第１ダクトは、前記１次ブッシングと前記第１取入口との間の所定位置に前記第１ケーブルを固定するための第１固定具を有し、
前記第１ケーブルは、前記第１固定具と前記第１取入口との間に湾曲して配置される
ことを特徴とする請求項２に記載のエレファント型変圧器。
【請求項５】
前記第２ダクトは、前記２次ブッシングと前記第２取入口との間の所定位置に前記第２ケーブルを固定するための第２固定具を有し、
前記第２ケーブルは、前記第２固定具と前記第２取入口との間に湾曲して配置される
ことを特徴とする請求項３に記載のエレファント型変圧器。
【請求項６】
前記ハウジングの上面板は、前記第２ケーブルが前記第２固定具と前記第２取入口との間に湾曲して配置されるように、前記第４側板に対して傾斜した形状を呈する
ことを特徴とする請求項５に記載のエレファント型変圧器。
【請求項７】
前記上面板は、前記第４側板に近づくにつれて前記第４側板の上方に向かう形状を呈する
ことを特徴とする請求項６に記載のエレファント型変圧器。
【発明の詳細な説明】
【技術分野】
【０００１】
本発明は、エレファント型変圧器に関する。
【背景技術】
【０００２】
例えば、変圧器本体を収容する収容容器と、収容容器から露出するブッシングと当該ブッシングと接続されるケーブルとを収容するダクトと、を含んで構成されるエレファント型変圧器が知られている（例えば特許文献１）。
【先行技術文献】
【特許文献】
【０００３】
【特許文献１】特開２０００−１３３５２３号公報
【発明の概要】
【発明が解決しようとする課題】
【０００４】
例えば、上記のケーブルは両端を除いて地中に布設され、エレファント型変圧器のブッシングと接続されるケーブルの一端は地中から地上に導出され、同様に、上流側の発電機や下流側の負荷と接続されるケーブルの他端も地中から地上に導出されている。ケーブルの一端は、ダクトの取入口を通してダクト内に取り入れられた後にブッシングと接続される。ケーブルの一端は、ダクト内において一定以上の曲率（損傷の虞がある曲率）で屈曲して取り付けられることがないように考慮する必要がある。そこで、地上に導出されて上方に向かうケーブルの一端が必要以上に屈曲することなくダクト内に取り入れられるように、取入口はダクトの底板の一部に設けられている。
【０００５】
エレファント型変圧器の２次側から電力が供給される負荷の容量の増加に伴って、エレファント型変圧器の容量が不足する虞がある場合、エレファント型変圧器が設置されているヤード内に別のエレファント型変圧器を増設する必要がある。例えば、敷地面積が限られているヤード内に別のエレファント型変圧器を増設する場合、稼働中のエレファント型変圧器のための布設ケーブルが損傷しないように、別のエレファント型変圧器のためのケーブルを地中に布設しないで地上に布設する（例えば地表面に沿うように布設する）工事を行っている。しかし、別のエレファント型変圧器のためのケーブルの一端をダクトに取り入れる際に、地上を延伸するケーブルの一端を垂直に立ち上げてダクトの底板の取入口から取り入れなければならないため、ケーブルの一端が一定以上の曲率で屈曲し、ケーブルを損傷する虞があった。
【０００６】
そこで、本発明は、ダクト内において、地上に布設されるケーブルが一定以上の曲率で屈曲して取り付けられることを防止するエレファント型変圧器を提供することを目的とする。
【課題を解決するための手段】
【０００７】
前述した課題を解決する主たる本発明は、エレファント型変圧器であって、変圧器本体を収容し、前記変圧器本体から引き出された第１口出線と接続される１次ブッシングが第１側板から突出するように配置され、前記変圧器本体から引き出された第２口出線と接続される２次ブッシングが前記第１側板とは反対側の第２側板から突出するように配置される収容容器と、地上に布設されて前記１次ブッシングと接続される第１ケーブルが取り入れられる第１取入口を第３側板の下端部に有し、前記１次ブッシング及び前記第１ケーブルを収容し、前記第１側板に対向して配置される第１ダクトと、地上に布設されて前記第２ブッシングと接続される第２ケーブルが取り入れられる第２取入口を第４側板の下端部に有し、前記２次ブッシング及び前記第２ケーブルを収容し、前記第２側板に対向して配置される第２ダクトと、を備える。
【０００８】
本発明の他の特徴については、添付図面及び本明細書の記載により明らかとなる。
【発明の効果】
【０００９】
本発明によれば、第１ダクト内において、地上に布設される第１ケーブルが一定以上の曲率で屈曲して取り付けられることを防止するとともに、第２ダクト内において、地上に布設される第２ケーブルが一定以上の曲率で屈曲して取り付けられることを防止することが可能になる。
【図面の簡単な説明】
【００１０】
【図１】本実施形態に係るエレファント型変圧器を示す斜視図である。
【図２】本実施形態に係るエレファント型変圧器を示す他の斜視図である。
【図３】本実施形態に係るエレファント型変圧器を示す正面図である。
【図４】本実施形態に係るエレファント型変圧器の第１ダクトを＋Ｘ方向に向かって見た状態を示す図である。
【図５】本実施形態に係るエレファント型変圧器の第２ダクトを−Ｘ方向に向かって見た状態を示す図である。
【図６】本実施形態に係るエレファント型変圧器が設置されるヤードの一例を示す平面図である。
【発明を実施するための形態】
【００１１】
本明細書および添付図面の記載により、少なくとも以下の事項が明らかとなる。
【００１２】
＝＝＝エレファント型変圧器の構成＝＝＝
図１は、本実施形態に係るエレファント型変圧器を示す斜視図である。図２は、本実施形態に係るエレファント型変圧器を示す他の斜視図である。図３は、本実施形態に係るエレファント型変圧器を示す正面図である。図４は、本実施形態に係るエレファント型変圧器の第１ダクトを＋Ｘ方向に向かって見た状態を示す図である。図５は、本実施形態に係るエレファント型変圧器の第２ダクトを−Ｘ方向に向かって見た状態を示す図である。Ｘ軸はエレファント変圧器の幅方向に沿う軸であり、Ｙ軸はエレファント変圧器の奥行き方向に沿う軸であり、Ｚ軸はエレファント変圧器の高さ方向に沿う軸である。尚、本実施形態に係るエレファント型変圧器は、既設のエレファント型変圧器が存在する限られた敷地面積を有するヤード内に増設されることとする。
【００１３】
以下、図１〜図５を参照しつつ、本実施形態に係るエレファント型変圧器について説明する。
【００１４】
エレファント型変圧器１は、変圧器本体２、収容容器３、ダクト４（第１ダクト）、ダクト５（第２ダクト）を含んで構成されている。
【００１５】
変圧器本体２は、例えば降圧型の変圧器であって、高圧側から供給される電圧（例えば６．６ＫＶ）を低圧側の電圧（例えば３．３ＫＶ）に変換する三相の変圧器である。変圧器本体２は、高圧側ケーブル（第１ケーブル）に接続される高圧側巻線と、低圧側ケーブル（第２ケーブル）に接続される低圧側巻線と、両巻線が巻回される鉄心と、を含んで構成されている。
【００１６】
収容容器３は、変圧器本体２を収容する容器である。収容容器３は、容器本体３Ａ及び蓋３Ｂを含んで構成されている。容器本体３Ａは、開口３Ｃ及びダクト３Ｄ，３Ｅを含んで構成されている。開口３Ｃは、容器本体３Ａの上側から変圧器本体２を収容するための出入口である。ダクト３Ｄは、側板３Ｆ（−Ｘ側：第１側板）を通して容器本体３Ａの内部と連通するように、側板３Ｆと一体に形成されている。ダクト３Ｄは、例えば溶接を用いて側板３Ｆと一体に形成されている。尚、ダクト３Ｄには、１次ブッシング６Ｕ〜６Ｗが突出して露出するように一列（Ｙ軸に沿う方向）に取り付けられている。１次ブッシング６Ｕ〜６Ｗは、容器本体３Ａの内部において、変圧器本体２から引き出された高圧側巻線の三相分（Ｕ相、Ｖ相、Ｗ相）の口出線７Ｕ〜７Ｗ（第１口出線）と接続されている。又、ダクト３Ｅは、側板３Ｆとは反対側の側板３Ｇ（＋Ｘ側：第２側板）を通して容器本体３Ａの内部と連通するように、側板３Ｇと一体に形成されている。ダクト３Ｅは、例えば溶接を用いて側板３Ｇと一体に形成されている。尚、ダクト３Ｅには、２次ブッシング８Ｕ〜８Ｗ，８Ｎが突出して露出するように一列（Ｙ軸に沿う方向）に取り付けられている。２次ブッシング８Ｕ〜８Ｗは、容器本体３Ａの内部において、変圧器本体２から引き出された低圧側巻線の三相分（Ｕ相、Ｖ相、Ｗ相）の口出線９Ｕ〜９Ｗ（第２口出線）と接続されている。２次ブッシング８Ｎは、変圧器本体２の中性点から引き出された接地線９Ｎと接続されている。容器本体３Ａは、鋼板で形成され、容器本体３Ａの外壁面には例えば溶融亜鉛めっき処理が施されている。容器本体３Ａの内部は、変圧器本体２を冷却するための絶縁油で満たされている。蓋３Ｂは鋼板から形成され、蓋３Ｂの外面には例えば高耐食溶融亜鉛めっき処理が施されている。蓋３Ｂは、容器本体３Ａに対して、開口３Ｃを塞ぐように装着されるとともに、ボルト等の締め具１０を用いて固定される。蓋３Ｂが容器本体３Ａに固定されると、容器本体３Ａ及びダクト３Ｄ，３Ｅの連通している内部空間は密閉される。容器本体３Ａは、例えば直方体形状を呈していることとし、蓋３Ｂは、開口３Ｃを塞ぐことができるように例えば矩形形状を呈していることとする。
【００１７】
ダクト４は、容器本体３Ａを形成する側板３Ｆと隣り合う位置（−Ｘ側）において、１次ブッシング６Ｕ〜６Ｗと、１次ブッシング６Ｕ〜６Ｗと接続される三相の高圧側ケーブル１１と、を収容する筐体である。本実施形態において、高圧側ケーブル１１は、例えば上流側のメタルクラッドに収容されている開閉器（不図示）と接続されることとする。ダクト４は、ダクト本体４Ａ及び蓋４Ｂを含んで構成されている。ダクト本体４Ａは、開口４Ｃ（＋Ｘ側）、開口４Ｄ（＋Ｚ側）、取入口４Ｅ（＋Ｙ側：第１取入口）を含んで構成されている。ダクト本体４Ａは、１次ブッシング６Ｕ〜６Ｗを有するダクト３Ｄの面に対して開口４Ｃを有する面を押し当て、ダクト３Ｄに対してボルト等の締め具１２を用いて固定されている。開口４Ｄは、作業者が手を挿入して１次ブッシング６Ｕ〜６Ｗと高圧側ケーブル１１との接続作業や点検作業を行うためのハンドホールである。開口４Ｄは、ダクト本体４Ａを形成する天板４Ｆの中央部分に設けられている。取入口４Ｅは、ダクト本体４Ａ内に高圧側ケーブル１１を取り入れるための開口である。取入口４Ｅは、ダクト本体４Ａを形成する側板４Ｇ（側板３Ｆとは対向していない＋Ｙ側の第３側板）の下端部（−Ｚ側）から筒形状を呈するように突出して設けられている。ダクト本体４Ａは、鋼板で形成され、ダクト本体４Ａの外壁面には例えば溶融亜鉛めっき処理が施されている。蓋４Ｂは鋼板から形成され、蓋４Ｂの外面には例えば高耐食溶融亜鉛めっき処理が施されている。蓋４Ｂは、ダクト本体４Ａに対して、開口４Ｄを塞ぐように着脱自在に装着されるとともに、ボルト等の締め具１３を用いて固定される。
【００１８】
ダクト５は、容器本体３Ａを形成する側板３Ｇと隣り合う位置（＋Ｘ側）において、２次ブッシング８Ｕ〜８Ｗ，８Ｎと、２次ブッシング８Ｕ〜８Ｗと接続される三相の低圧側ケーブル１４，１５と、２次ブッシング８Ｎと接続される接地ケーブル１６と、を収容する筐体である。本実施形態において、低圧側ケーブル１４，１５及び接地ケーブル１６は、下流側の負荷（不図示）と接続されることとする。ダクト５は、ダクト本体５Ａ及び蓋５Ｂを含んで構成されている。ダクト本体５Ａは、開口５Ｃ（−Ｘ側）、開口５Ｄ（＋Ｚ側）、ハウジング５Ｅ、取入口５Ｆ〜５Ｈ（＋Ｙ側：第２取入口）を含んで構成されている。ダクト本体５Ａは、２次ブッシング８Ｕ〜８Ｗを有するダクト３Ｅの面に対して開口５Ｃを有する面を押し当て、ダクト３Ｅに対してボルト等の締め具１７を用いて固定されている。開口５Ｄは、作業者が手を挿入して２次ブッシング８Ｕ〜８Ｗ，８Ｎと高圧側ケーブル１４，１５及び接地ケーブル１６との接続作業や点検作業を行うためのハンドホールである。開口５Ｄは、ダクト本体５Ａを形成する天板５Ｉの中央部分に設けられている。ハウジング５Ｅは、ダクト本体５Ａを形成する側板５Ｊ（側板３Ｇとは対向していない＋Ｙ側の第４側板）の下端部（−Ｚ側）から突出して設けられる箱体である。ハウジング５Ｅの天板５Ｋは、ダクト本体５Ａに対する低圧側ケーブル１４，１５及び接地ケーブル１６の取り入れが容易になるように、側板５Ｊに近づくにつれて側板５Ｊの上側に向かう傾斜面を形成している。取入口５Ｆは、ダクト本体５Ａ内に低圧側ケーブル１４を取り入れるための開口である。取入口５Ｇは、ダクト本体５Ａ内に低圧側ケーブル１５を取り入れるための開口である。取入口５Ｈは、ダクト本体５Ａ内に接地ケーブル１６を取り入れるための開口である。取入口５Ｆ〜５Ｈは、ハウジング５Ｅを形成する側板５Ｌ（側板３Ｆとは対向していない＋Ｙ側の側板）から筒形状を呈するように突出して設けられている。ダクト本体５Ａは、鋼板で形成され、ダクト本体５Ａの外壁面には例えば溶融亜鉛めっき処理が施されている。蓋５Ｂは鋼板から形成され、蓋５Ｂの外面には例えば高耐食溶融亜鉛めっき処理が施されている。蓋５Ｂは、ダクト本体５Ａに対して、開口５Ｄを塞ぐように着脱自在に装着されるとともに、ボルト等の締め具１８を用いて固定される。
【００１９】
上記のように構成されるエレファント型変圧器１の収容容器３は、地上に形成される基台１９上に設置されて固定される。
【００２０】
＝＝＝変圧器ヤードの構成＝＝＝
図６は、本実施形態に係るエレファント型変圧器が設置されるヤードの一例を示す平面図である。尚、説明の便宜上、ヤード内にはエレファント型変圧器が既に３基設置されていることとし、ヤード内の未設置の敷地上に本実施形態に係るエレファント型変圧器を１基増設することとする。
【００２１】
以下、図６を参照しつつ、本実施形態に係るエレファント型変圧器が設置されるヤードの一例について説明する。
【００２２】
ヤード２０内には、例えば３基のエレファント型変圧器１００Ａ〜１００Ｃが設置されている。エレファント型変圧器１００Ａ〜１００Ｃは、地中に布設された高圧側ケーブル及び低圧側ケーブルを取り入れることができるように、ダクトの底板の一部に取入口を有する変圧器である。例えば、エレファント型変圧器１００Ａ〜１００Ｃは、ＬＮＧポンプ（液化石油ガスを移送するためのポンプ）を負荷として、電力を供給することとする。例えば、ＬＮＧポンプの負荷容量の増加に伴って、エレファント型変圧器１００Ａ〜１００Ｃの容量が不足し、エレファント型変圧器１００Ａ〜１００Ｃから供給される電力ではＬＮＧポンプが十分に動作しなくなる虞がある場合、エレファント型変圧器１を増設することとする。
【００２３】
先ず、未設置の敷地上に基台１９をコンクリートで打設し、基台１９上にエレファント型変圧器１を設置する。次に、ダクト４の取入口４Ｅと対向する敷地上に梯子形状を呈するケーブルトレイ２１を敷設し、ケーブルトレイ２１上を沿うように高圧側ケーブル１１を配置し、高圧側ケーブル１１を取入口４Ｅから取り入れる。尚、高圧側ケーブル１１を取入口４Ｅから取り入れる際にケーブルトレイ２１からはみ出る高圧側ケーブル１１の外周面は、金属製の保護管２２で保護されている。同様に、ダクト５の取入口５Ｆ〜５Ｈと対向する敷地上に梯子形状を呈するケーブルトレイ２３を敷設し、ケーブルトレイ２３上を沿うように低圧側ケーブル１４，１５及び接地ケーブル１６を並べて配置し、低圧側ケーブル１４，１５及び接地ケーブル１６を取入口５Ｆ〜５Ｈから取り入れる。尚、低圧側ケーブル１４，１５及び接地ケーブル１６を取入口５Ｆ〜５Ｈから取り入れる際にケーブルトレイ２１からはみ出る低圧側ケーブル１４，１５及び接地ケーブル１６の外周面は、金属製の保護管２４〜２６で保護されている。
【００２４】
＝＝＝１次ブッシングと高圧側ケーブルとの接続手順＝＝＝
図１、図３及び図４を参照しつつ、ダクト４内において、１次ブッシング６Ｕ〜６Ｗと高圧側ケーブル１１とを接続する手順について説明する。
【００２５】
先ず、作業者は、ダクト４の天板４Ｆから蓋４Ｂを外し、開口４Ｄを開放する。次に、作業者は、開口４Ｄに手を挿入し、取入口４Ｅから取り入れられる高圧側ケーブル１１を引き上げる。次に、作業者は、高圧側ケーブル１１を屈曲させながらブラケット４Ｈ（第１固定具）を用いてダクト４の内壁に固定する。このとき、高圧側ケーブル１１はダクト４内の取入口４Ｅとブラケット４Ｈとの間において−Ｙ方向から＋Ｚ方向へ屈曲するため、高圧側ケーブル１１の曲率半径は十分大きくなり、高圧側ケーブル１１の破損を防止することが可能になる。次に、作業者は、高圧側ケーブル１１を高圧側Ｕ相ケーブル１１Ｕ、高圧側Ｖ相ケーブル１１Ｖ、高圧側Ｗ相ケーブル１１Ｗに分解する。次に、作業者は、圧着端子４ＩＵ及び支持碍子４ＪＵを介して高圧側Ｕ相ケーブル１１Ｕを１次ブッシング６Ｕと接続する。同様に、作業者は、圧着端子４ＩＶ及び支持碍子４ＪＶを介して高圧側Ｖ相ケーブル１１Ｖを１次ブッシング６Ｖと接続する。同様に、作業者は、圧着端子４ＩＷ及び支持碍子４ＪＷを介して高圧側Ｗ相ケーブル１１Ｗを１次ブッシング６Ｗと接続する。次に、作業者は、ダクト４の天板４Ｆに蓋４Ｂを装着し、開口４Ｄを塞ぐ。以上より、１次ブッシング６Ｕ〜６Ｗと高圧側ケーブル１１との接続作業を完了する。
【００２６】
＝＝＝２次ブッシングと低圧側ケーブルとの接続手順＝＝＝
図２、図３及び図５を参照しつつ、ダクト５内において、２次ブッシング８Ｕ〜８Ｗ，８Ｎと低圧側ケーブル１４，１５及び接地ケーブル１６とを接続する手順について説明する。
【００２７】
先ず、作業者は、ダクト５の天板５Ｉから蓋５Ｂを外し、開口５Ｄを開放する。次に、作業者は、開口５Ｄに手を挿入し、取入口５Ｆから取り入れられる低圧側ケーブル１４（実線）を引き上げる。次に、作業者は、低圧側ケーブル１４を屈曲させながらブラケット５Ｍを用いてダクト５の内壁に固定する。このとき、低圧側ケーブル１４はダクト５内の取入口５Ｆとブラケット５Ｍ（第２固定具）との間において＋Ｙ方向から＋Ｚ方向へ屈曲するため、低圧側ケーブル１４の曲率半径は十分大きくなり、低圧側ケーブル１４の破損を防止することが可能になる。次に、作業者は、低圧側ケーブル１４を低圧側Ｕ相ケーブル１４Ｕ、低圧側Ｖ相ケーブル１４Ｖ、低圧側Ｗ相ケーブル１４Ｗに分解する。次に、作業者は、圧着端子５ＰＵ及び支持碍子５ＱＵを介して低圧側Ｕ相ケーブル１４Ｕを２次ブッシング８Ｕと接続する。同様に、作業者は、圧着端子５ＰＶ及び支持碍子５ＱＶを介して低圧側Ｖ相ケーブル１４Ｖを２次ブッシング８Ｖと接続する。同様に、作業者は、圧着端子５ＰＷ及び支持碍子５ＱＷを介して低圧側Ｗ相ケーブル１４Ｗを２次ブッシング８Ｗと接続する。
【００２８】
次に、作業者は、開口５Ｄに手を再度挿入し、取入口５Ｇから取り入れられる低圧側ケーブル１５（実太線）を引き上げる。次に、作業者は、低圧側ケーブル１５を屈曲させながらブラケット５Ｎを用いてダクト５の内壁に固定する。このとき、低圧側ケーブル１５はダクト５内の取入口５Ｇとブラケット５Ｎ（第２固定具）との間において＋Ｙ方向から＋Ｚ方向へ屈曲するため、低圧側ケーブル１５の曲率半径は十分大きくなり、低圧側ケーブル１５の破損を防止することが可能になる。次に、作業者は、低圧側ケーブル１５を低圧側Ｕ相ケーブル１５Ｕ、低圧側Ｖ相ケーブル１５Ｖ、低圧側Ｗ相ケーブル１５Ｗに分解する。次に、作業者は、圧着端子５ＰＵ及び支持碍子５ＱＵを介して低圧側Ｕ相ケーブル１５Ｕを２次ブッシング８Ｕと接続する。同様に、作業者は、圧着端子５ＰＶ及び支持碍子５ＱＶを介して低圧側Ｖ相ケーブル１５Ｖを２次ブッシング８Ｖと接続する。同様に、作業者は、圧着端子５ＰＷ及び支持碍子５ＱＷを介して低圧側Ｗ相ケーブル１５Ｗを２次ブッシング８Ｗと接続する。
【００２９】
次に、作業者は、開口５Ｄに手を再度挿入し、取入口５Ｈから取り入れられる接地ケーブル１６（一点鎖線）を引き上げる。次に、作業者は、接地ケーブル１６を屈曲させながらブラケット５Ｏ（第２固定具）を用いてダクト５の内壁に固定する。このとき、接地ケーブル１６はダクト５内の取入口５Ｈとブラケット５Ｏとの間において＋Ｙ方向から＋Ｚ方向へ屈曲するため、接地ケーブル１６の曲率半径は十分大きくなり、接地ケーブル１６の破損を防止することが可能になる。次に、作業者は、圧着端子５ＰＮ及び支持碍子５ＱＮを介して接地ケーブル１６を２次ブッシング８Ｎと接続する。次に、作業者は、ダクト５の天板５Ｉに蓋５Ｂを装着し、開口５Ｄを塞ぐ。以上より、２次ブッシング８Ｕ〜８Ｗ，８Ｎと低圧側ケーブル１４，１５及び接地ケーブル１６との接続作業を完了する。
【００３０】
本実施形態では、ＬＮＧポンプの負荷容量の増加に対応可能な範囲において、低圧側ケーブルの外径を極力抑えて低圧側ケーブルの曲率半径が一定以上になるように、２次ブッシング８Ｕ〜８Ｗに対して２本の低圧側ケーブル１４，１５を接続し、低圧側ケーブル１４，１５の破損を防止している。
【００３１】
以上説明したように、本実施形態に係るエレファント型変圧器１は、変圧器本体２を収容し、変圧器本体２から引き出された口出線７Ｕ〜７Ｗと接続される１次ブッシング６Ｕ〜６Ｗが側板３Ｆから突出するように配置され、変圧器本体２から引き出された口出線９Ｕ〜９Ｗと接続される２次ブッシング８Ｕ〜８Ｗが側板３Ｆとは反対側の側板３Ｇから突出するように配置される収容容器３と、地上に布設されて１次ブッシング６Ｕ〜６Ｗと接続される高圧側ケーブル１１が取り入れられる取入口４Ｅを側板４Ｇの下端部に有し、１次ブッシング６Ｕ〜６Ｗ及び高圧側ケーブル１１を収容し、側板３Ｆに対向して配置されるダクト４と、地上に布設されて第２ブッシング８Ｕ〜８Ｗ，８Ｎと接続される低圧側ケーブル１４，１５及び接地ケーブル１６が取り入れられる取入口５Ｆ〜５Ｈを側板５Ｊの下端部に有し、２次ブッシング８Ｕ〜８Ｗ，８Ｎと低圧側ケーブル１４，１５及び接地ケーブル１６とを収容し、側板３Ｇに対向して配置されるダクト５と、を含んで構成されている。そして、本実施形態によれば、ダクト４内において、地上に布設される高圧側ケーブル１１が一定以上の曲率で屈曲して取り付けられることを防止するとともに、ダクト５内において、地上に布設される低圧側ケーブル１４，１５及び接地ケーブル１６が一定以上の曲率で屈曲して取り付けられることを防止し、結果として、高圧側ケーブル１１、低圧側ケーブル１４，１５及び接地ケーブル１６の破損を防止することが可能になる。
【００３２】
又、本実施形態に係るエレファント型変圧器１において、取入口４Ｅは、側板４Ｇの外側に突出して形成される。そして、本実施形態によれば、地上に布設されている高圧側ケーブル１１をダクト４内に容易に取り入れることが可能になる。
【００３３】
又、本実施形態に係るエレファント型変圧器１において、取入口５Ｆ〜５Ｈは、側板５Ｊの外側に突出するハウジング５Ｅに形成される。そして、本実施形態によれば、地上に布設されている低圧側ケーブル１４，１５及び接地ケーブル１６をダクト５内に容易に取り入れることが可能になる。
【００３４】
又、本実施形態に係るエレファント型変圧器１において、ダクト４は、１次ブッシング６Ｕ〜６Ｗと取入口４Ｅとの間の所定位置に高圧側ケーブル１１を固定するためのブラケット４Ｈを有し、高圧側ケーブル１１は、ブラケット４Ｈと取入口４Ｅとの間に湾曲して配置される。そして、本実施形態によれば、高圧側ケーブル１１は、破損することがないように一定以上の曲率でブラケット４Ｈに確実に固定される。
【００３５】
又、本実施形態に係るエレファント型変圧器１において、ダクト５は、２次ブッシング８Ｕ〜８Ｗと取入口５Ｆ〜５Ｈとの間の所定位置に低圧側ケーブル１４，１５及び接地ケーブル１６を固定するためのブラケット５Ｍ〜５Ｏを有し、低圧側ケーブル１４，１５及び接地ケーブル１６は、ブラケット５Ｍ〜５Ｏと取入口５Ｆ〜５Ｈとの間に湾曲して配置される。そして、本実施形態によれば、低圧側ケーブル１４，１５及び接地ケーブル１６は、破損することがないように一定以上の曲率でブラケット５Ｍ〜５Ｏに確実に固定される。
【００３６】
又、本実施形態に係るエレファント型変圧器１において、ハウジング５Ｅの天板５Ｋは、低圧側ケーブル１４，１５及び接地ケーブル１６がブラケット５Ｍ〜５Ｏと取入口５Ｆ〜５Ｈとの間に湾曲して配置されるように、側板５Ｊに対して傾斜した形状を呈する。特に、天板５Ｋは、側板５Ｊに近づくにつれて側板５Ｊの上方（＋Ｚ側）に向かう形状を呈する。そして、本実施形態によれば、地上に布設されている低圧側ケーブル１４，１５及び接地ケーブル１６をダクト５内に容易に取り入れることが可能になる。
【００３７】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。例えば、ダクト５内に取り入れられる低圧側ケーブルとして、２本の低圧側ケーブル１４，１５を用いずに、低圧側ケーブル１４，１５の外径より大きい外径の１本の低圧側ケーブルを用いてもよい。この場合、ダクトの底板を通してケーブルを取り入れるエレファント型変圧器に比べて、地上に布設されているケーブルをダクトに取り入れる際の曲率を大きく設定することが可能になる。又、ダクト５に設けられているハウジング５Ｅをダクト４に設けてもよい。
【符号の説明】
【００３８】
１  エレファント型変圧器
２  変圧器本体
３  収容容器
３Ａ  容器本体
３Ｂ  蓋
３Ｃ  開口
３Ｄ，３Ｅ  ダクト
３Ｆ，３Ｇ  側板
４  ダクト
４Ａ  ダクト本体
４Ｂ  蓋
４Ｃ，４Ｄ  開口
４Ｅ  取入口
４Ｆ  天板
４Ｇ  側板
４Ｈ  ブラケット
４ＩＵ，４ＩＶ，４ＩＷ  圧着端子
４ＪＵ，４ＪＶ，４ＪＷ  支持碍子
５  ダクト
５Ａ  ダクト本体
５Ｂ  蓋
５Ｃ，５Ｄ  開口
５Ｅ  ハウジング
５Ｆ〜５Ｈ  取入口
５Ｉ，５Ｋ  天板
５Ｊ，５Ｌ  側板
５Ｍ〜５Ｏ  ブラケット
５ＰＵ〜５ＰＷ，５ＰＮ  圧着端子
５ＱＵ〜５ＱＷ，５ＱＮ  支持碍子
６Ｕ〜６Ｗ  １次ブッシング
７Ｕ〜７Ｗ  口出線
８Ｕ〜８Ｗ，８Ｎ  ２次ブッシング
９Ｕ〜９Ｗ，９Ｎ  口出線
１１  高圧側ケーブル
１４，１５  低圧側ケーブル
１６  接地ケーブル
２０  ヤード
２１，２３  ケーブルトレイ
２２，２４〜２６  保護管
【図１】
2016207690.tif 000003
【図２】
2016207690.tif 000004
【図３】
2016207690.tif 000005
【図４】
2016207690.tif 000006
【図５】
2016207690.tif 000007
【図６】
2016207690.tif 000008